(57)【特許請求の範囲】
【請求項１】
建物躯体と外装仕上げ材との間に所定の間隔で離間領域が形成されてなる建物の外壁部に対し、前記建物の屋外に設置される各種設備としての屋外設置物を留付ける屋外設置物の留付方法において、
前記外装仕上げ材をくり抜いて縦長の開口部を形成し、
前記縦長の開口部よりも小さい寸法で形成された縦長の下地材を、当該開口部から前記通気層内に挿入し、
前記下地材を、前記通気層内でその長辺部が水平に配置されるように回転させ、
前記下地材を、前記回転させた状態で前記建物躯体に固定し、
前記開口部を、閉塞部材によって閉塞した後、前記外壁部における前記下地材の領域に前記屋外設置物を留付けることを特徴とする屋外設置物の留付方法。
【請求項２】
請求項１に記載の屋外設置物の留付方法において、
前記外壁部のうち前記開口部を形成する部位には、前記建物躯体を構成する部材が配設されており、
前記下地材を前記建物躯体に固定するに際し、当該下地材を、前記建物躯体を構成する部材に対して固定することを特徴とする屋外設置物の留付方法。
【請求項３】
請求項２に記載の屋外設置物の留付方法において、
前記外壁部は、縦横の芯材を組んで形成された枠体と、
当該枠体の表裏面に取り付けられた面材と、を有する建築用壁パネルを備えており、
前記建物躯体を構成する部材が、前記建築用壁パネルにおける前記枠体を形成する芯材であることを特徴とする屋外設置物の留付方法。
【請求項４】
請求項１〜３のいずれか一項に記載の屋外設置物の留付方法において、
前記閉塞部材によって前記開口部を閉塞するに際し、前記閉塞部材が前記くり抜いた外装仕上げ材からなり、当該くり抜いた外装仕上げ材と前記開口部との隙間に、シーリング材を充填することを特徴とする屋外設置物の留付方法。
【請求項５】
請求項１〜４のいずれか一項に記載の屋外設置物の留付方法において、
前記開口部は、前記建物の屋外に設置される各種設備としての屋外設置物よりも低い位置に形成されることを特徴とする屋外設置物の留付方法。
【発明の詳細な説明】
【技術分野】
【０００１】
本発明は、屋外設置物の留付方法に関する。
【背景技術】
【０００２】
建物の敷地内には、給湯器用貯水タンクや空気調和機の室外機、太陽光発電システムのパワーコンディショナー、蓄電池、看板等を始め、様々な屋外設置物が設置される。
例えば特許文献１においては、屋外設置物としての加湿装置が、建物の外壁付近に配置されたベースコンクリート上に設置されている。
【先行技術文献】
【特許文献】
【０００３】
【特許文献１】特開２０１１−８５３７３号公報
【発明の概要】
【発明が解決しようとする課題】
【０００４】
ところで、例として挙げた特許文献１の屋外設置物は自立した状態で設置されている。しかし、このような設置状態では、例えば比較的大きな地震や台風などの自然現象が生じた場合に屋外設置物が揺れてしまうこと等が考えられ、設置安定性の観点から好ましくなかった。そこで、屋外設置物を安定して設置すべく、建物の外壁に固定したいという要望があった。
しかしながら、自立しているか否かに拘わらず、屋外設置物を建物の外壁に固定するに際し、単に、外壁表面に設けられた外装仕上げ材に留付けただけでは、固定強度の観点から好ましくなかった。
【０００５】
本発明は上述した事情に鑑みてなされたもので、屋外設置物を建物躯体に対して留付けることができるため、当該屋外設置物を建物の外壁に確実に固定でき、よって屋外設置物の設置安定性を格段に向上し得る屋外設置物の留付方法を実現する。
【課題を解決するための手段】
【０００６】
請求項１に記載の発明は、例えば図１〜図３に示すように、建物躯体１０と外装仕上げ材１１との間に所定間隔で離間領域（例えば、通気層１２）が形成されてなる建物１の外壁部３に対し、前記建物１の屋外に設置される各種設備としての屋外設置物２を留付ける屋外設置物２の留付方法において、
前記外装仕上げ材１１をくり抜いて縦長の開口部１３を形成し、
前記縦長の開口部１３よりも小さい寸法で形成された縦長の下地材６を、当該開口部１３から前記通気層１２内に挿入し、
前記下地材６を、前記通気層１２内でその長辺部６ａが水平に配置されるように回転させ、
前記下地材６を、前記回転させた状態で前記建物躯体１０に固定し、
前記開口部１３を、閉塞部材（例えば、前記くり抜いた外装仕上げ材３１）によって閉塞した後、前記外壁部３における前記下地材６の領域に前記屋外設置物２を留付けることを特徴とする。
【０００７】
請求項１に記載の発明によれば、建物１の外壁部３に前記屋外設置物２を留付けるに際し、外装仕上げ材１１をくり抜いて縦長の開口部１３を形成し、この縦長の開口部１３よりも小さい寸法で形成された縦長の下地材６を、当該開口部１３から通気層１２内に挿入し、当該通気層１２内で下地材６を、その長辺部６ａが水平に配置されるように回転させ、この状態で下地材６を建物躯体１０に固定し、くり抜いた外装仕上げ材３１によって開口部１３を閉塞した後、外壁部３における下地材６の領域に屋外設置物２を留付けるようにした。これにより、屋外設置物２が下地材６を介して建物躯体１０に留付けられるため、当該屋外設置物２を建物１の外壁部３に確実に固定でき、よって屋外設置物２の設置安定性を格段に向上することができる。
【０００８】
このとき、建物躯体１０と外装仕上げ材１１との間に所定間隔で形成される離間領域としての通気層１２に配設される下地材６は、その長辺部６ａが水平に配置されるように回転されて、換言すれば横長の状態に配置されるため、屋外設置物２を留付けるための留め具５の設置位置を、建物躯体１０に対して水平方向にずらして固定することも可能である。すなわち、屋外設置物２の留付け位置を当該下地材６の範囲内で水平方向に変更（修正）可能である。また、屋外設置物２を留付けるための留め具５に多く見受けられる横長形状に対して有効である。また、下地材６自体を前記建物躯体１０に対し、開口部１３の領域内で上下方向の任意の位置に固定することも可能である。よって、開口部１３の上端側近傍となるように、建物躯体１０に対して下地材６を固定すれば、当該下地材６に留め具５を介して屋外設置物２を留付けることで、開口部１３を外部から隠すこともでき、美観を損なうことはない。
しかも、外壁部３に形成される開口部１３は縦長の形状をなしているので、前記留め具５に対応して横長の開口部とする場合と比較して、水平方向の大きさ（長さ）を小さく（短く）することができ、屋外設置物２を留付けた際に、当該屋外設置物２と外壁部３との隙間から見え難くすることができるため、見映えが良い。
さらに、建築後の建物１の外壁部３に対して容易に適用できるため、リフォーム時（すなわち、既存の建物への屋外設置物２の新規導入時）においても好適である。
【０００９】
請求項２に記載の発明は、請求項１に記載の屋外設置物２の留付方法において、
前記外壁部３のうち前記開口部１３を形成する部位には、前記建物躯体１０を構成する部材が配設されており、
前記下地材６を前記建物躯体１０に固定するに際し、当該下地材６を、前記建物躯体１０を構成する部材に対して固定することを特徴とする。
【００１０】
請求項２に記載の発明によれば、外壁部３における開口部１３を形成する部位には、建物躯体１０を構成する部材（例えば、建物用壁パネルの芯材や、柱など）が配設されており、この部材に対して下地材６を固定することができるので、外壁部３における下地材６の領域に留付けられる屋外設置物２を、当該下地材６を介して建物躯体１０へ確実に固定できる。
【００１１】
請求項３に記載の発明は、請求項２に記載の屋外設置物２の留付方法において、
前記外壁部３は、縦横の芯材を組んで形成された枠体と、
当該枠体の表裏面に取り付けられた面材と、を有する建築用壁パネルを備えており、
前記建物躯体１０を構成する部材が、前記建築用壁パネルにおける前記枠体を形成する芯材であることを特徴とする。
【００１２】
請求項３に記載の発明によれば、外壁部３が縦横の芯材を組んで形成された枠体の表裏面に、それぞれ面材を取り付けてなる建築用壁パネルを備えており、外壁部３における開口部１３を形成する部位には、建築用壁パネルのうち枠体を形成する芯材が配設されているので、この芯材に対して下地材６を固定することができ、外壁部３における下地材６の領域に留付けられる屋外設置物２を、当該下地材６を介して建物躯体１０へより一層確実に固定できる。
【００１３】
請求項４に記載の発明は、請求項１〜３のいずれか一項に記載の屋外設置物２の留付方法において、
前記閉塞部材によって前記開口部１３を閉塞するに際し、前記閉塞部材が前記くり抜いた外装仕上げ材３１からなり、当該くり抜いた外装仕上げ材３１と前記開口部１３との隙間１５に、シーリング材３２を充填することを特徴とする。
【００１４】
請求項４に記載の発明によれば、くり抜いた外装仕上げ材３１によって開口部１３を閉塞するに際し、当該くり抜いた外装仕上げ材３１と開口部１３との隙間１５に、シーリング材３２を充填することで、この隙間１５を密閉でき、防水性を確保することができる。
しかも、開口部１３を閉塞する閉塞部材として前記くり抜いた外装仕上げ材３１を用いることで、当該くり抜いた外装仕上げ材３１を再利用でき、これによって閉塞用に別途、部材を用いる必要がないことから、部品コストの増加を未然に回避することができる。
【００１５】
請求項５に記載の発明は、請求項１〜４のいずれか一項に記載の屋外設置物２の留付方法において、
前記開口部１３は、前記建物１の屋外に設置される各種設備としての屋外設置物２よりも低い位置に形成されることを特徴とする。
【００１６】
請求項５に記載の発明によれば、開口部１３は、建物１の屋外に設置される各種設備としての屋外設置物２よりも低い位置に形成されるので、設置後の屋外設置物２によって開口部１３が隠され、当該屋外設置物２と外壁部３との隙間から見え難くすることができるため、見映えが良く、秀麗な外観にすることができる。
【発明の効果】
【００１７】
本発明によれば、屋外設置物が下地材を介して建物躯体に対して留付けられるため、当該屋外設置物を建物の外壁部に確実に固定でき、よって屋外設置物の設置安定性を格段に向上することができる。
【図面の簡単な説明】
【００１８】
【図１】本発明の一実施形態に係る屋外設置物の留付方法を用いた屋外設置物の設置例を側方から見て示す概略図である。
【図２】同屋外設置物の留付方法の手順を示し、（ａ）は外装仕上げ材をくり抜いて縦長の開口部を形成する様子を概略的に示す斜視図、（ｂ）は下地材を開口部から通気層内に挿入する様子を概略的に示す斜視図、（ｃ）は下地材を通気層内で回転させて固定する様子を概略的に示す斜視図、（ｄ）は開口部をくり抜いた外装仕上げ材によって閉塞する様子を概略的に示す斜視図である。
【図３】本発明に係る屋外設置物の留付方法を用いた他の実施形態における屋外設置物の設置例を部分的に透視して概略的に示す正面図である。
【図４】図３における屋外設置物の設置例を上側から見て示す部分的断面図である。
【図５】本発明に係る屋外設置物の留付方法を用いた他の実施形態における屋外設置物の設置例の要部を拡大して示す要部拡大図である。
【図６】本発明に係る屋外設置物の留付方法を用いた他の実施形態における屋外設置物の設置例の要部を拡大して示す要部拡大図である。
【図７】本発明に係る屋外設置物の留付方法を用いた他の実施形態における屋外設置物の設置例を上側から見て示す部分的断面図である。
【発明を実施するための形態】
【００１９】
以下、本発明の一実施形態について、図面を参照しながら詳細に説明する。
図１に示すように、本実施形態において、住宅等の建物１の敷地内には、当該建物１の屋外に設置される各種設備としての給湯器用貯水タンク（以下、これを単に屋外設置物２と称する）が、建物１の外壁部３付近に配置されたコンクリート製などのベースプレート４上に設置されている。また、屋外設置物２は、留め具５を用いて外壁部３における下地材６の領域に留付けられている。
【００２０】
ここでは、屋外設置物２として給湯器用貯水タンクを適用する場合について述べるが、一例であってこれに限られず、要は建物１の屋外に設置され、当該建物１の外壁部３に留付け可能な設備であれば良い。このような屋外設置物としては、この他、例えば空気調和機の室外機や、太陽光発電システムのパワーコンディショナー、蓄電池、看板等、様々な設備が適用可能である。
【００２１】
＜建物について＞
本実施形態の建物１は、複数の柱および複数の横架材（梁、桁、胴差等）を組み上げて建物の軸組を施工する木造軸組工法（在来工法）によって構築されている。このような在来工法では、軸組の施工後、屋根および外壁部を施工し、その後、天井、床、棚、階段、間仕切り、敷居、ドア枠等の造作材を建物の内部に組み付ける。また、建物の内部造作にあたっては、造作材の施工と共に、配線工事を行っている。
【００２２】
かかる建物１において、外壁部３は建物躯体１０に対して不図示の胴縁（桟材）を介して外装仕上げ材１１を取り付けることで形成されており、これによって、建物躯体１０と外装仕上げ材１１との間に所定の間隔で離間領域（例えば、通気層１２）が形成されている。
本実施形態の場合、外壁部３には、外装仕上げ材１１を矩形状にくり抜いて形成される縦長の開口部１３を介して、この開口部１３よりも小さい寸法で矩形状に形成された縦長の下地材６が、前記通気層１２内に挿入され、建物躯体１０に固定されている。また、この開口部１３は、閉塞部材によって閉塞されている。なお、この閉塞部材として、前記くり抜いた外装仕上げ材３１を用いることで、当該くり抜いた外装仕上げ材３１を再利用でき、これによって閉塞用に別途、部材を用いる必要がないことから、部品コストの増加を未然に回避することが可能となる利点も備えている。
【００２３】
ここで、下地材６は、外装仕上げ材１１を矩形状にくり抜いて形成される縦長の開口部１３よりも小さい寸法で矩形状に形成された縦長の形状をなしている場合について述べるが、一例であってこれに限ることはなく、例えば四隅が角の取れた円弧状であっても良い。この場合、下地材６が配置される部位の近傍に胴縁が配置されていたとしても、下地材６の四隅に角がない分、当該下地材６を回転させ易い利点を備えることができる。
なお、開口部１３についても同様に矩形状に限定されることはなく、設置対象の屋外設置物２を留付けることによって、設置後の屋外設置物２と外壁部３との隙間から露出することのない形状であれば良い。
【００２４】
このような外壁部３における開口部１３を形成する部位には、建物躯体１０を構成する部材が配設されている。この場合、この部材に対して下地材６を固定することができるので、外壁部３における下地材６の領域に留付けられる屋外設置物２を、当該下地材６を介して建物躯体１０へ確実に固定できる。
【００２５】
また、外壁部３においては、屋外に面して配置される外装仕上げ材１１の内側（屋内側）に位置する建物躯体１０の外側に、雨水等の浸入を防止する防水シート等の防水材（不図示）が配設されている。なお、この防水シートとしては、例えば、タイベック（デュポン社の商品名）等を採用できる。このような防水シートによれば、防水シートの屋内側からの湿気を屋外側へ放散して外壁部３の内側に結露が生じさせないようにしながら、屋外からの雨水等の浸入を防止でき、外壁部３を保護できる利点を備えている。
【００２６】
このような在来工法の建物１では、外壁部３における開口部１３を形成する部位に建物躯体１０を構成する部材として柱が配設されている。この場合、この柱に対して下地材６を固定することができ、外壁部２における下地材６の領域に留付けられる屋外設置物２を、当該下地材６を介して建物躯体１０へより一段と確実に固定できる利点を備えている。
【００２７】
しかも、開口部１３は、建物１の屋外に設置される各種設備としての屋外設置物２よりも低い位置に形成されることが好ましい。これにより、設置後の屋外設置物２によって開口部１３が隠され、当該屋外設置物２と外壁部３との隙間から開口部１３を見え難くすることができるため、見映えが良く、秀麗な外観にすることができるという効果を奏する。
【００２８】
なお、建物１は在来工法によって構築されることに限定されることはない。例えば、壁や床、屋根といった建物の構成要素を予め工場にてパネル化しておき、建築現場でこれらの建築用パネルを組み立てて構築するパネル工法で構築されるものであっても良い。また、予め工場にて柱および梁からなる矩形箱形の骨組みに内外装を取り付けてユニット化された建物ユニットを形成しておき、建築現場でこのような建物ユニットを複数組み合わせて構築するユニット式建物であっても良い。要は、建物躯体１０と外装仕上げ材１１との間に所定の間隔で離間領域（例えば、通気層１２のような）が形成されてなる外壁部３を備えた建物１であれば、この他、壁式工法の木造、鉄骨造、鉄筋コンクリート造等の種々の建物を広く適用できる。
【００２９】
例えば、建物１をパネル工法によって構築した場合、ここでは図示省略するが、外壁部３は、縦横の芯材を組んで形成された枠体と、当該枠体の表裏両面に取り付けられた面材と、を有する建築用壁パネルを備えている。
ここで、建築用壁パネルとは、縦横の芯材（框材）が矩形状に組み立てられると共に、矩形枠の内部に補助桟材が縦横に組み付けられて枠体が構成され、この枠体の表裏両面または片面に、面材が貼設されたものであり、内部中空な構造となっている。そして、この内部中空な部分には、通常、グラスウールやロックウール等の断熱材が装填されるものである。
【００３０】
また、建築用壁パネルにおいては、屋外に面して配置される面材の外側面に、上述したような防水シート等の防水材（不図示）が貼り付けられている。従って、上述と同様に、防水シートの屋内側からの湿気を屋外側へ放散して壁体構造の内部に結露が生じさせないようにしながら、屋外からの雨水等の浸入を防止でき、壁体構造を保護できる利点を備えることができる。
【００３１】
さらに、外壁部３が建築用壁パネルからなる場合、外壁部３における開口部１３を形成する部位に配置される建物躯体１０を構成する部材は、建築用壁パネルのうち枠体を形成する芯材であることが好ましい。このとき、この芯材に対して下地材６を固定することができ、外壁部３における下地材６の領域に留付けられる屋外設置物２を、当該下地材６を介して建物躯体１０へより一層確実に固定できる利点を備えることができる。
【００３２】
その他、例えば建物１を、鉄骨構造とした場合、外壁部３における開口部１３を形成する部位に配置される建物躯体１０を構成する部材としては、鉄骨材料からなる柱であることが好ましい。このような鉄骨構造の建物１においては、鉄骨材料からなる柱に直接下地材６を固定することも可能であり、これにより、外壁部３に留付ける屋外設置物２を、下地材６を介して建物躯体１０へ強固に固定できる利点を備えることができる。よって、ユニット式建物にも適用可能である。
【００３３】
＜屋外設置物の留付方法について＞
以下、図２を用いて本実施形態における屋外設置物２の留付方法に関する具体的な手順を説明する。すなわち、図２（ａ）〜図２（ｄ）に示すように、建物１の外壁部３に対し、当該建物１の屋外に設置される屋外設置物２を留付けるために、まず、外装仕上げ材１１を矩形状にくり抜いて縦長の開口部１３を形成する（図２（ａ）参照）。
【００３４】
次に、縦長の開口部１３よりも小さい寸法で矩形状に形成された縦長の下地材６を、当該開口部１３から前記離間領域としての通気層１２内に挿入する（図２（ｂ）参照）。
次いで、下地材６を、通気層１２内でその長辺部６ａが水平に配置される（換言すれば、下地材６を横長の状態に配置させる）ように回転させ、この回転させた状態で釘やネジ等の締結部材Ｖによって建物躯体１０に固定する（図２（ｃ）参照）。
【００３５】
そして、開口部１３を、閉塞部材である前記くり抜いた外装仕上げ材３１によって閉塞する（図２（ｄ）参照）。このとき、くり抜いた外装仕上げ材３１と開口部１３との隙間１５にシーリング材３２を充填すれば、この隙間１５を密閉可能とし、防水性を確保することが可能となる。
【００３６】
この後、図１に示すように、建物１の外壁部３における下地材６の領域に、留め具５を介して屋外設置物２を留付ける。
【００３７】
なお、開口部１３は、下地材６を建物躯体１０に取り付けるために、通気層１２内（すなわち、建物躯体１０と外装仕上げ材１１との間に所定の間隔で形成される離間領域）へと挿入可能な大きさであれば良い。例えば、開口部１３の縦方向（上下方向）の長さよりも下地材６の縦方向の長さが長い場合であっても、横方向の長さが開口部１３より下地材６の方が短く、開口部１３を介して当該下地材６をその縦方向の一端側から通気層１２内へと滑り込ませるように挿入可能であれば、当該通気層１２内において長辺部６ａが水平となるように、下地材６を回転（方向転換）可能とすることができるため、当該開口部１３の大きさは上述した実施形態の大きさに限られることはない。
このとき、下地材６の縦方向の長さを長く設定しておけば、水平方向へ方向転換した際に、当該水平方向に向けて下地材６の領域を長く設置することができるため、留め具５の留付け位置を広く設定することが可能となる利点を備えることができる。
【００３８】
以上、説明したように、本実施形態における屋外設置物の留付方法では、建物１の外壁部３に前記屋外設置物２を留付けるに際し、外装仕上げ材１１をくり抜いて縦長の開口部１３を形成し、この縦長の開口部１３よりも小さい寸法で形成された縦長の下地材６を、当該開口部１３から通気層１２内に挿入し、当該通気層１２内で下地材６を、その長辺部６ａが水平に配置されるように回転させ、この状態で下地材６を建物躯体１０に固定し、くり抜いた外装仕上げ材３１によって開口部１３を閉塞した後、外壁部３における下地材６の領域に屋外設置物２を留付けるようにした。
これにより、屋外設置物２が下地材６を介して建物躯体１０に留付けられるため、当該屋外設置物２を建物１の外壁部３に確実に固定でき、よって屋外設置物２の設置安定性を格段に向上することができる。
【００３９】
このとき、建物躯体１０と外装仕上げ材１１との間に所定間隔で形成される離間領域としての通気層１２に配設される下地材６は、その長辺部６ａが水平に配置されるように回転されて、換言すれば横長の状態に配置されるため、屋外設置物２を留付けるための留め具５の設置位置を、建物躯体１０に対して水平方向にずらして固定することも可能である。すなわち、屋外設置物２の留付け位置を当該下地材６の範囲内で水平方向に変更（修正）可能である。また、屋外設置物２を留付けるための留め具５に多く見受けられる横長形状に対して有効である。また、下地材６自体を前記建物躯体１０に対し、開口部１３から取付可能な範囲で上下方向の任意の位置に固定することも可能である。よって、開口部１３の上端側近傍となるように、建物躯体１０に対して下地材６を固定すれば、当該下地材６に留め具５を介して屋外設置物２を留付けることで、開口部１３を外部から隠すこともでき、美観を損なうことはない。
しかも、外壁部３に形成される開口部１３は縦長の形状をなしているので、前記留め具５に対応して横長の開口部とする場合と比較して、水平方向の大きさ（長さ）を小さく（短く）することができ、屋外設置物２を留付けた際に、当該屋外設置物２と外壁部３との隙間から見え難くすることができるため、見映えが良い。
さらに、建築後の建物１の外壁部３に対して容易に適用できるため、リフォーム時（すなわち、既存の建物への屋外設置物２の新規導入時）においても好適である。
【００４０】
その上、くり抜いた外装仕上げ材３１によって開口部１３を閉塞するに際し、当該くり抜いた外装仕上げ材３１と開口部１３との隙間１５に、シーリング材３２を充填することで、この隙間１５を密閉でき、防水性を確保することができる。
しかも、開口部１３を閉塞する閉塞部材として前記くり抜いた外装仕上げ材３１を用いることで、当該くり抜いた外装仕上げ材３１を再利用でき、これによって閉塞用に別途、部材を用いる必要がないことから、部品コストの増加を未然に回避することができる。
【００４１】
加えて、開口部１３を建物１の屋外に設置される各種設備としての屋外設置物２よりも低い位置に形成するようにすれば、設置後の屋外設置物２によって開口部１３を隠すことができるため、当該開口部１３を屋外設置物２と外壁部３との隙間から見え難くすることができる。よって、見映えが良く、秀麗な外観にすることもできる。
【００４２】
なお、本発明は、上述した実施形態に限定されることなく、本発明の趣旨を逸脱しない範囲において、適宜、種々の改良および設計の変更が可能である。
【００４３】
例えば、上述した実施形態では、建物１の屋外に設置する屋外設置物２の設置形態として、建物１の外壁部３付近に配置されたベースプレート４上に給湯器用貯水タンクを設置するようにした場合について述べたが、本発明はこれに限られることはなく、屋外設置物２の設置形態としては、建物１の外壁部３付近の地面に設置されることなく、当該外壁部３に対して宙に浮いた状態で固定されるような設置形態であっても良い。
【００４４】
具体的には、例えば図１との対応部分に同一符号を付した図３に示すように、屋外設置物２として給湯器が挙げられる。この場合、図４にも示すように、屋外設置物２は、その背面に設けられた取付カバー２１が、建物１の外壁部３における下地材６の領域に取り付けられる留め具５としての取付ステーに係合されることによって、当該外壁部３に対して留付けられるようになっている。このとき、外壁部３には、設置対象の屋外設置物２の上下方向に対応して、上下二箇所に、上述した開口部１３を形成して建物躯体１０に下地材６が釘やネジ等の締結部材Ｖによって固定されてなる下地材６の領域が設けられており、留め具５は、この二箇所に釘やネジ等の固定部材５１，５１を用いてそれぞれ取り付けられている。よって、屋外設置物２は、背面の取付カバー２１に対して、これら二つの留め具５，５が係合されることで外壁部３に留付けられるため、当該外壁部３に対して宙に浮いた状態で確実に固定されるようになっている。
【００４５】
また、外壁部３のうち下地材６の領域が上下二箇所などのように複数設けられたとしても、当該下地材６の領域を設置対象の屋外設置物の大きさや取付位置よりも低い位置に形成すれば、設置後の屋外設置物２によって開口部１３が隠され、当該屋外設置物２と外壁部３との隙間から見え難くすることができるため、見映えが良く、秀麗な外観にすることができる。
【００４６】
さらに、例えば図４の要部（開口部１３周辺）を拡大し、対応する部分に同一符号を付した図５に示すように、下地材６は建物躯体１０に対して開口部１３から取付可能な範囲で開口部１３の上端側近傍に設置することができる。このように、下地材６を開口部１３の上端側近傍となるように、建物躯体１０に対して固定部材５１，５１を用いて固定した場合、当該下地材６に留め具５を介して屋外設置物２を留付けることで、開口部１３を外部から隠すことができ、美観を損なうことはない。
【００４７】
さらに、図５との対応部分に同一符号を付した図６に示すように、下地材６は、その長辺部６ａが水平に配置されるように、開口部１３に対して回転された横長の状態に配置されるため、屋外設置物２を留付けるための留め具５の設置位置を、建物躯体１０に対して水平方向にずらして固定することもできる。よって、屋外設置物２の留付け位置を、当該下地材６の範囲内で水平方向に変更（修正）できる。
【００４８】
また、図４との対応部分に同一符号を付した図７に示すように、外壁部３が、縦横の芯材７１，７２を組んで形成された枠体と、当該枠体の表裏両面に取り付けられた面材７３，７３と、を有する建築用壁パネル７を備えている場合、外壁部３における開口部１３を形成する部位に配置される建物躯体１０を構成する部材は、建築用壁パネルのうち枠体を形成する芯材７１，７１であることが好ましい。この場合、この芯材７１，７１に対して下地材６を締結部材Ｖによって固定することで、外壁部３における下地材６の領域に固定部材５１，５１を用いて固定した留め具５を介して留付けられる屋外設置物２を、当該下地材６を介して建物躯体１０へより一層確実に固定できる。
【符号の説明】
【００４９】
１…建物
１０…建物躯体
１１…外装仕上げ材
１２…通気層
１３…開口部
１５…隙間
２…屋外設置物
３…外壁部
３１…くり抜いた外装仕上げ材
３２…シーリング材
４…ベースプレート
５…留め具
５１…固定部材
６…下地材
７…建築用壁パネル
７１…芯材
Ｖ…締結部材
【図１】
0006038732.tif 000002
【図２】
0006038732.tif 000003
【図３】
0006038732.tif 000004
【図４】
0006038732.tif 000005
【図５】
0006038732.tif 000006
【図６】
0006038732.tif 000007
【図７】
0006038732.tif 000008